(57)【要約】      （修正有）【課題】調理時に発生する吹きこぼれによる汚れや焦げ付きなどによる頑固な汚れを防止し、ＩＨクッキングヒーターを常にきれいな状態に保つことができる保護シートを提供する。【解決手段】ＩＨクッキングヒーターのトッププレート表面を適切な材質シートで覆うことにより従来の欠点を解決できることに着目して、ミラブル型シリコーンゴム製シート材質を提供するに至った。ミラブル型シリコーンゴム材質は調理中のＩＨクッキングヒーターのトッププレート表面の高熱にも耐えて、調理中の汚れなどが付着しても除去しやすく、さらには、滑り防止などの効果もあり、ＩＨクッキングヒーターのトッププレート表面の保護シートとして最適である。ミラブル型シリコーンゴム製のシートをＩＨクッキングヒーターのトッププレート表面面積の寸法に合せた任意の寸法の保護シートとする。【選択図】図１
0003148651.tif 000002
【実用新案登録請求の範囲】
【請求項１】
ミラブル型シリコーンゴム製の０．５ｍｍ〜１ｍｍ厚みのシートをＩＨクッキングヒーターのトッププレート面積の大きさに合わせて裁断、もしくは、金型を作りプレス成形機にて成形し、ＩＨクッキングヒーターのトッププレート表面を前記シートで覆って、ＩＨクッキングヒーターのトッププレート表面の保護と汚れ防止およびすべり防止することを特徴としたＩＨクッキングヒーターのトッププレート面に使用するシート。
【考案の詳細な説明】
【技術分野】
【０００１】  本考案はＩＨクッキングヒーターのトッププレート面保護シートに関する。
【背景技術】
【０００２】  現在、まだまだこれから普及する家庭用ＩＨクッキングヒーターのトッププレート表面は、成型樹脂材質の硬いままの状態である。調理中にお汁が吹きこぼれたり、飛んだりなどして、それらのお汁を焦げ付かせて、トッププレート表面に頑固な汚れが発生する。【０００３】  さらに、ＩＨクッキングヒーターのトッププレート表面は、成形樹脂材質のままで平滑に仕上がっている硬い状態であるために、調理器具をトッププレートに置いた時、調理器具が滑りやすく、わずかの振動でも移動したり、また、少しの力で押したりした場合には調理器具を大きく移動させてしまって、トッププレートより調理器具を脱落させてしまうような危険性がある。
【考案の開示】
【考案が解決しようとする課題】
【０００４】  本考案は、家庭用のＩＨクッキングヒーターのトッププレート表面を保護シートなどで覆って、常に、ＩＨクッキングヒーターのトッププレート表面を長期に亘って清潔に保つことと安心して使用できることの考えに至った。【０００５】  ＩＨクッキングヒーターのトッププレート表面は、調理使用時、かなりの高温になるので、そのトッププレート表面を覆うシートは調理使用時の高温に耐えるだけの耐熱性を有する材質シートであることを配慮する必要がる。【０００６】  また、ＩＨクッキングヒーターのトッププレート表面を覆うシートには汚れが付着することを想定したシートでなければならないので、汚れが付着した場合水洗いなどで簡単に汚れを除去できる材質を選定する必要がある。【０００７】  さらに、ＩＨクッキングヒーターのトッププレート面に調理器具など置いた場合、振動や衝撃などを受けて、容易に、調理器具が移動したり、傾いたりして、ＩＨクッキングヒーターのトッププレート面より脱落しないように、滑りを防止するためのシート材をＩＨクッキングヒーターのトッププレート表面に覆う必要がある。
【課題を解決するための手段】
【０００８】  現在使用されているＩＨクッキングヒーターのプレート表面は汚れ防止、滑り防止などの配慮がなされてないので、汚れを除去しやすく、滑りにくい摩擦抵抗が大きくて、なおかつ、耐熱性に優れた材質のシートが必要である。【０００９】  本考案はＩＨクッキングヒーターのトッププレート表面の保護シートとして、簡単に汚れが除去できて、滑り防止効果があり、耐熱性にすぐれた特性のあるミラブル型シリコーンゴムシートの材質を提供することにより問題を解決しようとするものである。【００１０】  本考案のＩＨクッキングヒーターのトッププレート表面を覆う材質は、ミラブル型シリコーンゴムの０．５ｍｍ〜１．０ｍｍ厚さのシートにしたものを使用し、ＩＨクッキングヒーターのトッププレート表面の面積の大きさの寸法に裁断して使用する。【００１１】  ミラブル型シリコーンゴムシートは、本考案のＩＨクッキングヒーター用のトッププレート表面を覆う保護シートとして開発したもので、耐熱性は２５０℃で、表面摩擦抵抗が大きく、柔軟性があり、その上、非粘着の性質も有し、汚れが付着しても簡単に水で拭き取ることができる理想的なＩＨクッキングヒーターのトッププレート表面の保護シートを提供する
【考案の効果】
【００１２】  ＩＨクッキングヒーターのトッププレート表面に本考案の保護シートを使用することにより調理時に発生する吹きこぼれによる汚れや焦げ付きなどによる頑固な汚れを防止し、常に、ＩＨクッキングヒーターを常にきれいな状態を保つことができる。【００１３】  また、本考案の保護シートは表面摩擦抵抗が大きく、滑り止めの効果があるので、ＩＨクッキングヒーターのトッププレート表面に、保護シートを乗せてその上に調理器具を置いた場合、少しの衝撃や振動にも調理器具の位置がズレたり、移動もなく、当初に調理器具を配置したままの状態を維持し、安定性を得ることができる。
【考案を実施するための最良の形態】
【００１４】  本考案を実施するには、ミラブル型シリコーンゴム製のシートを使用するＩＨクッキングヒーターのトッププレート面の表面積に合わせて裁断し、ＩＨクッキングヒーターのトッププレート表面全面を覆う大きさ寸法のシートを保護シートとして使用するのが最良である。また、ミラブル型シリコーンゴムは金型を使用してプレス成形機で成形加工ができるので、ＩＨクッキングヒーターのトッププレート表面全面を覆う大きさに成形加工したシートを使用することもできる。【００１５】  前記のミラブル型シリコーンゴム製の保護シートを調理前に、ＩＨクッキングヒーターのトッププレート表面を覆い、そのシート上に調理器具を乗せて、実際に調理を実施したところ、トッププレート表面に前記保護シートを乗せない時と同様に調理を実施することができた。
【実施例】
【００１６】  本考案のミラブル型シリコーンゴム製の１ｍｍ厚さのロール状シート３から２９５ｍｍ×２７５ｍｍの角丸４０ｍｍＲの長方形に裁断した保護シート１を１００Ｖ・１２００Ｗ（最高温度表示２３０℃）の市販のＩＨクッキングヒーターのトッププレート表面に乗せて、その上に調理なべを置いて煮物料理を実施したところ通常と変わらず調理が実施できた。【００１７】  さらに、煮物料理を沸騰させて、故意にトッププレート表面に乗せた保護シートの上に料理のお汁を吹きこぼれさせて、焦がすなどの汚れを発生させた後に濡れた布巾で、拭き取ったところ容易に汚れが除去できた。【００１８】  また、煮物料理を実施中、保護シートの上に乗せた調理なべは当初設置した位置からの移動もなく、調理中ずっと安定した状況であった。【００１９】  他には、本考案のミラブル型シリコーンゴム製の１ｍｍ厚さのロール状シート３から調理なべよりひと回り大きい寸法の２７５ｍｍ直径の円形に裁断した保護シート２を市販品のＩＨクッキングヒーターのトッププレートの表面に乗せてその上に調理なべを置いて調理を実施したところ前記長方形の保護シートと同様の結果が得られた。
本考案の実施例の保護シートの形状を図１、図２、図３に示す。
【図面の簡単な説明】
【００２０】
【図１】  本考案の長方形に断裁した保護シート。
【図２】  本考案の円形に断裁した保護シート。
【図３】  本考案の断裁前のロール状の保護シート。
【符号の説明】
【００２１】１  ミラブル型シリコーンゴム製の１ｍｍ厚さ長方形シート。
２  ミラブル型シリコーンゴム製の１ｍｍ厚さ円形シート。
３  ミラブル型シリコーンゴム製の１ｍｍ厚さロール状シート。
【図１】
0003148651.tif 000003
【図２】
0003148651.tif 000004
【図３】
0003148651.tif 000005